(57)【要約】【課題】境界用標示板を設置する際の固定部材を挿入する固定用穴の位置を容易に特定し、固定用穴を正確に穿設する境界用標示板の設置穴位置の特定器具を提供する。【解決手段】板状の本体部７と、境界点の位置に合わせる切欠部３と、境界点を測定する器具を設置する石突挿通孔５と、境界用標示板を固定するアンカーネイルを挿入する固定用穴に対応した貫通穴４と、が形成されている。【選択図】図３
2016042091.tif 000002
【特許請求の範囲】
【請求項１】
板状の本体部と、
境界点の位置に合わせる境界点位置対応部と、
境界点を測定する器具を設置する器具設置部と、
境界用標示板を固定する固定部材を挿入する穴に対応した穴対応部と、が形成された境界用標示板の設置穴位置特定器具。
【請求項２】
長手方向一側に前記境界点位置対応部が形成された位置合わせ部が配置され、
長手方向他側に前記器具設置部が形成された位置測定部が配置され、
全体が略長方形状に形成された請求項１記載の境界用標示板の設置穴位置特定器具。
【請求項３】
前記境界点位置対応部とそれに対応する前記穴対応部、前記器具設置部とそれに対応する前記穴対応部、にそれぞれ表示部を設けたことを特徴とする請求項１又は２記載の境界用標示板の設置穴位置特定器具。
【請求項４】
前記境界点位置対応部と、前記器具設置部と、前記穴対応部と、前記表示部とが、前記本体部の両面に形成されたことを特徴とする請求項１〜３のいずれか１項に記載の境界用標示板の設置穴位置特定器具。
【請求項５】
前記穴対応部に着脱自在な目視用補助器具を備えることを特徴とする請求項１〜４のいずれか１項に記載の境界用標示板の設置穴位置特定器具。
【発明の詳細な説明】
【技術分野】
【０００１】
本発明は、境界用標示板を固定する固定部材を挿入する固定用穴の位置を特定する器具に関する。
【背景技術】
【０００２】
境界用標示板を設置する際には、設置面であるコンクリート面等に固定用部材を挿入する固定用穴を穿設する必要がある。この固定用穴は、ハンマードリル等により穿設されるが、コンクリートは石とモルタルで構成され硬度が一様でないため、打撃モードによるハンマードリルのドリルビットが振動により予定位置からずれ、正確な位置に穿設することが困難である。固定用穴の位置がずれると、境界用標示板を正確な位置に設置することができず、また、２穴タイプの境界用標示板は固定用穴の間隔が決まっており、少しでもずれると１本目の固定部材は挿入できても、２本目の固定部材を挿入することができなくなってしまう。
【先行技術文献】
【特許文献】
【０００３】
【非特許文献１】株式会社カクマル「カクマル測量用材カタログＮｏ．２３」
【発明の概要】
【発明が解決しようとする課題】
【０００４】
ここで固定用穴を穿設する場合に、コンクリート等の設置面上の境界点に境界用標示板をセットし、境界用標示板に形成された固定部材用の穴にハンマードリルで直接穴を穿設する方法があるが、境界用標示板は小さく固定が難しく移動し易いため、予定した位置に固定用穴をあけることは困難である。
【０００５】
一方、非特許文献１の８９頁に記載の「足踏み固定台」を使用して境界用標示板を加圧固定する方法がある。この足踏み固定台は、境界用標示板の上に重ねて置き、作業者が足踏み固定台を足で踏んで加圧固定するものであるが、非特許文献１の８９頁の写真にあるとおり、作業者は足踏み固定台の境界用標示板と重なっている部分を片足で踏んで使用するため、足踏み固定台は境界用標示板を均等に加圧せず足で踏んでいない部分が上方に浮き上がってしまい、境界用標示板を確実に加圧固定することができず、境界用標示板に位置ずれが発生してしまう虞がある。
【０００６】
本発明は以上の問題点を解決し、境界用標示板を設置する際の固定部材を挿入する固定用穴の位置を容易に特定し、固定用穴を正確に穿設する境界用標示板の設置穴位置の特定器具を提供することを目的とする。
【課題を解決するための手段】
【０００７】
請求項１の境界用標示板の設置穴位置の特定器具は、板状の本体部と、境界点の位置に合わせる境界点位置対応部と、境界点を測定する器具を設置する器具設置部と、境界用標示板を固定する固定部材を挿入する固定用穴に対応した穴対応部と、が形成されたものである。
【０００８】
請求項２の境界用標示板の設置穴位置の特定器具は、長手方向一側に前記境界点位置対応部が形成された位置合わせ部が配置され、長手方向他側に前記器具設置部が形成された位置測定部が配置され、全体が略長方形状に形成されたものである。
【０００９】
請求項３の境界用標示板の設置穴位置の特定器具は、前記境界点位置対応部とそれに対応する前記穴対応部、前記器具設置部とそれに対応する前記穴対応部、にそれぞれ表示部を設けたものである。
【００１０】
請求項４の境界用標示板の設置穴位置の特定器具は、前記境界点位置対応部と、前記器具設置部と、前記穴対応部と、前記表示部とが、前記本体部の両面に形成されたものである。
【００１１】
請求項５の境界用標示板の設置穴位置の特定器具は、前記穴対応部に着脱自在な目視用補助器具を備えたものである。
【発明の効果】
【００１２】
請求項１の発明によれば、境界用標示板を設置する際の固定部材を挿入する固定用穴の位置を容易に特定することができる。また、境界点の特定と、その境界点に対する境界用標示板の固定用穴の位置の特定を同時に行うことができる。
【００１３】
請求項２の発明によれば、境界点が特定されている場合と、境界点が特定されていない場合のいずれにも使用することができる。また、使用者が境界用標示板の設置穴位置の特定器具を両足で踏んで確実に加圧固定することができる。
【００１４】
請求項３の発明によれば、境界点とその境界点に対する境界用標示板の固定用穴の位置を容易に判断することができる。
【００１５】
請求項４の発明によれば、境界用標示板の設置穴位置の特定器具の使用する向きを使用者が自由に選択することができる。
【００１６】
請求項５の発明によれば、穴対応部の径が大きい場合であっても、境界点を穴対応部の中心に容易に合わせることができる。
【図面の簡単な説明】
【００１７】
【図１】本発明の実施例１に使用する境界用標示板の平面図である。
【図２】同、境界用標示板の固定方法を示す断面図である。
【図３】本発明の実施例１を示す特定器具の平面図である。
【図４】同、特定器具の正面図である。
【図５】本発明の実施例１に使用する測量機器の側面図である。
【図６】本発明の実施例１〜３に使用する石突の正面図である。
【図７】本発明の実施例２に使用する境界用標示板の平面図である。
【図８】同、境界用標示板の固定方法を示す断面図である。
【図９】本発明の実施例２を示す特定器具の平面図である。
【図１０】同、特定器具の正面図である。
【図１１】本発明の実施例２を示す目視用補助器具の平面図である。
【図１２】同、目視用補助器具の正面図である。
【図１３】同、目視用補助器具を取り付けた状態の特定器具の断面図である。
【図１４】本発明の実施例３に使用する境界用標示板の平面図である。
【図１５】同、境界用標示板の固定方法を示す断面図である。
【図１６】本発明の実施例３を示す特定器具の平面図である。
【図１７】同、特定器具の正面図である。
【発明を実施するための形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。以下、図３、図９、図１７、の上下左右方向を実施例における上下左右として説明する。
【実施例１】
【００１９】
図１〜図６は本発明の第１実施例を示しており、１は境界用標示板の設置穴位置の特定器具（以下、特定器具という。）である。特定器具１には、境界点９の位置に合わせる境界点位置対応部としての切欠部３（３０１〜３１７）と、境界点９に対する固定用穴１０を特定する穴対応部としての貫通穴４（４０１〜４７４）と、境界点９の位置を測定する測量機器（一部図示せず）のうち、観測用の測量プリズム２１を装着したポール２２の下端に設けられた石突２３を挿通する器具設置部としての石突挿通穴５（５０１〜５１５）が形成されている。切欠部３と貫通穴４は、境界点９と境界用標示板２に形成されたアンカー用穴１２との位置関係と同一となっているため、切欠部３を境界点９に合わせると、その境界点９に合わせた切欠部３に対応する貫通穴４の位置が固定用穴１０を穿設する位置となる。また、石突挿通穴５と貫通穴４は、境界点９と境界用標示板２に形成されたアンカー用穴１２との位置関係と同一となっているため、石突挿通穴５に対応する貫通穴４の位置が固定用穴１０を穿設する位置となる。固定用穴１０は、境界用標示板２の設置面に穿設され、アンカーネイル１１を挿入するための穴である。また、各図において境界点９を黒点で示す。
【００２０】
境界用標示板２は、隣接する土地の境界の点や線の位置を表すための標識であって、一般的にアルミニウム合金や真鍮等の金属により形成されている。本実施例の境界用標示板２は、境界用標示板２を設置面に固定するための固定部材であるアンカーネイル１１を挿通するアンカー用穴１２が１箇所形成された１穴タイプのものと、アンカー用穴１２が２箇所形成された２穴タイプのものが使用される。また、境界用標示板２は、境界点標示面の一辺が５０ｍｍの正方形状に形成されている。
【００２１】
図１には本実施例で使用される境界用標示板２を示す。境界用標示板２０１〜２０３は、図１の１３〜１５の位置にそれぞれ境界点９を合わせる。これら境界用標示板２０１〜２０３は、その中心部にアンカー用穴１２が１箇所設けられた１穴タイプである。境界用標示板２０４〜２０６は、境界用標示板２０１〜２０３にアンカー用穴１２をそれぞれ２箇所設けた２穴タイプである。図２に示すとおり、境界用標示板２０１〜２０６は、アンカー用穴１２と固定用穴１０にアンカーネイル１１を挿入することにより設置面に固定される。
【００２２】
次に、図３を参照して特定器具１について説明する。特定器具１は、鉄材等の金属で略長方形平板状に形成された本体部７と、本体部７の長手方向一側に形成された位置合わせ部１８と、長手方向他側に形成された位置測定部１９と、位置合わせ部１８と位置測定部１９とを接続する接続部２０とを有して構成されている。なお、本体部７の板厚は、固定用穴１０を穿設するハンマードリル（図示せず）の振動幅よりも厚くすることにより、固定用穴１０を穿設する際にハンマードリルの先端が貫通孔４から外れることを防止できる。
【００２３】
位置合わせ部１８は、既に境界点９が測定されている場合に使用するものであり、図３の左側から、第１の配列部３１、第２の配列部３２、第３の配列部３３の３つの配列部から構成されている。各配列部３１〜３３の左右方向の幅は、境界用標示板２０１〜２０６の外周辺の一辺と同一の長さとなっているが、第２の配列部３２の横幅の長さは境界用標示板２０１〜２０６の外周辺の一辺と同一の長さでなくてもよい。また、第１の配列部３１、第２の配列部３２、第３の配列部３３は、本体部７の反対側の面にも形成されているが、並びは右側から、第１の配列部３１、第２の配列部３２、第３の配列部３３となっている。
【００２４】
第１の配列部３１には、切欠部３０１〜３０７が形成されている。切欠部３０１は特定器具１を三角形状に切り欠いて形成されており、切欠部３０２〜３０４は矩形状に切り欠いて形成されており、切欠部３０５〜３０７は円形状に切り欠いて形成されている。切欠部３０１は第１の配列部３１の左上角部に位置し、切欠部３０２は上辺の中点に位置し、切欠部３０３は右上角部に位置し、切欠部３０４は左辺の中点よりやや下方に位置し、切欠部３０５は右辺の中点よりやや下方に位置し、切欠部３０６は左上部に位置し、切欠部３０７は右上部に位置している。また、第１の配列部３１には、貫通穴４０１〜４１７が形成されている。なお、貫通穴４０１は後述するとおり、切欠部３としても使用する。
【００２５】
第２の配列部３２には、切欠部３０８が形成されている。切欠部３０８は、第２の配列部３２の上辺の左右方向の幅の右側から略１／３の位置に矩形状に切り欠いて形成されている。また、第２の配列部３２には、貫通穴４１８〜４２０が形成されている。
【００２６】
第３の配列部３３には、切欠部３０９〜３１５が形成されている。切欠部３０９〜３１１は矩形状に切り欠いて形成されており、切欠部３１２〜３１５は円形状に切り欠いて形成されている。切欠部３０９は、第３の配列部３３の左上角部に位置し、切欠部３１０は上辺の中点に位置し、切欠部３１１は右上角部に位置し、切欠部３１２は左辺の中点よりやや下方に位置し、切欠部３１３は右辺の中点よりやや下方に位置し、切欠部３１４は左上部に位置し、切欠部３１５は右上部に位置している。また、第３の配列部３３には、貫通穴４２１〜４３７が形成されている。なお、貫通穴４２１は後述するとおり、切欠部３としても使用する。第３の配列部３３に形成された切欠部３０９〜３１５及び貫通穴４２１〜４３７の配置は、第１の配列部３１に形成された切欠部３０１〜３０７及び貫通穴４０１〜４１７の配置と同一となっている。これは、境界用標示板２を設置する場所によっては、周囲に建造物が存在する等により特定器具１の使用が制限される場合があるため、第１の配列部３１と第３の配列部３３を状況に応じて選択して使用することができるようにするものである。
【００２７】
位置測定部１９は、境界点９が特定されていない場合に使用するものであり、左側から、第４の配列部３４、第５の配列部３５、第６の配列部３６の３つの配列部から構成されている。各配列部３４〜３６の左右方向の幅は、境界用標示板２０１〜２０６の外周辺の一辺と同一の長さとなっているが、第５の配列部３５の横幅の長さは境界用標示板２０１〜２０６の外周辺の一辺と同一の長さでなくてもよい。また、第４の配列部３４、第５の配列部３５、第６の配列部３６は、本体部７の反対側の面にも形成されているが、並びは右側から、第４の配列部３４、第５の配列部３５、第６の配列部３６となっている。
【００２８】
第４の配列部３４には、石突挿通穴５０１〜５０７と貫通穴４３８〜４５４が形成されている。なお、貫通穴４３８は後述するとおり、石突挿通穴５としても使用する。第５の配列部３５には、石突挿通穴５０８と貫通穴４５５〜４５７が形成されている。第６の配列部３６には、石突挿通穴５０９〜５１５と貫通穴４５８〜４７４が形成されている。なお、貫通穴４５８は後述するとおり、石突挿通穴５としても使用する。
【００２９】
第４の配列部３４、第５の配列部３５、第６の配列部３６に形成された貫通穴４３８〜４７４と石突挿通穴５０１〜５１５は、特定器具１を中心点２４を軸として１８０°回転させた場合に、第１の配列部３１、第２の配列部３２、第３の配列部３３に形成された貫通穴４０１〜４３７と切欠部３０１〜３１５に対応する位置、すなわち点対称に配置されている。
【００３０】
石突挿通穴５０３〜５０５，５０８，５１０〜５１３の周囲には、外側に円弧状に突出した突出部２５が形成されている。なお、石突挿通穴５１３は、特定器具１の角部に形成されているため、石突挿通穴５１３の周囲に形成された突出部２５は中心角約２７０°の扇形状であるが、その他の突出部２５は半円形状を有している。この突出部２５は特定器具１と同一の板厚を有する。
【００３１】
貫通穴４０１〜４７４は、円形状に形成され、その直径はアンカーネイル１１に対応している。また、石突挿通穴５０１〜５１５は、特定器具１を貫通する円形状の穴である。したがって、貫通穴４０１〜４７４と石突挿通穴５０１〜５１５は、特定器具１の反対側の面にも形成されていることになる。また、貫通穴４０１〜４７４と石突挿通穴５０１〜５１５は略同径に形成されている。
【００３２】
特定器具１には、切欠部３と貫通穴４との組み合わせ、及び石突挿通穴５と貫通穴４との組み合わせを容易に認識することができるようにするため、それぞれの組合せに対応した表示部Ａ〜Ｚが形成されている。この表示Ａ〜Ｚは、特定器具１の両面に溝状に形成されている。表示部Ａ〜Ｚは、他の文字や記号等であってもよい。
【００３３】
以下、位置合わせ部１８を使用して境界用標示板２０１〜２０６を設置する場合の固定用穴１０の穿設位置について、切欠部３０１〜３１５と貫通穴４０１〜４３７との関係と共に説明する。ここで、境界点９を切欠部３に合わせる方法について説明すると、切欠部３０１のように特定器具１の二辺を切り欠いて形成されているものについては、その二辺を延長した交差点に境界点９を合わせる。切欠部３０２のように特定器具１の一辺に形成されている場合には、その辺の延長線上であって切欠部３の幅の中点に境界点９を合わせる。切欠部３０５のように円形状に切り欠いて形成さているものについては、円の中心に境界点９を合わせる。
【００３４】
境界用標示板２０１を設置する場合には、境界点９を貫通穴４０１，４２１のいずれかに合わせ、境界点９を合わせた貫通穴４０１，４２１の位置にハンマードリル等で固定用穴１０を穿設する。
【００３５】
境界用標示板２０２を設置する場合には、境界点９を切欠部３０２，３０４，３０５のいずれかに合わせ、貫通穴４０１の位置に固定用穴１０を穿設する。または、境界点９を切欠部３１０，３１２，３１３のいずれかに合わせ、貫通穴４２１の位置に固定用穴１０を穿設する。
【００３６】
境界用標示板２０３を設置する場合には、境界点９を切欠部３０１，３０３のいずれかに合わせ、貫通穴４０１の位置に固定用穴１０を穿設する。または、境界点９を切欠部３０８の位置に合わせ、貫通穴４１８の位置に固定用穴１０を穿設する（表示部Ｇの組合せ）。または、境界点９を切欠部３０９，３１１のいずれかの位置に合わせ、貫通穴４２１の位置に固定用穴１０を穿設する。
【００３７】
境界用標示板２０４を設置する場合には、境界点９を貫通穴４０１に合わせ、貫通穴４０２及び４０８、貫通穴４０５及び４１１のいずれかの位置に固定用穴１０を穿設する。または、境界点９を貫通穴４２１に合わせ、貫通穴４２２及び４２８、貫通穴４２５及び４３１のいずれかの位置に固定用穴１０を穿設する。
【００３８】
境界用標示板２０５を設置する場合には、境界点９を切欠部３０２に合わせ、貫通穴４０５及び４１１の位置に固定用穴１０を穿設する。または、境界点９を切欠部３０４，３０５のいずれかに合わせ、貫通穴４０２及び４０８の位置に固定用穴１０を穿設する。または、境界点９を切欠部３０６に合わせ、貫通穴４０３及び４１０の位置に固定用穴１０を穿設する（表示部Ｅの組合せ）。または、境界点９を切欠部３０７に合わせ、貫通穴４０６及び４１３の位置に固定用穴１０を穿設する（表示部Ｆの組合せ）。または、境界点９を切欠部３１０に合わせ、貫通穴４２５及び４３１の位置に固定用穴１０を穿設する。または、境界点９を切欠部３１２，３１３のいずれかに合わせ、貫通穴４２２及び４２８の位置に固定用穴１０を穿設する。または、境界点９を切欠部３１４に合わせ、貫通穴４２３及び４３０の位置に固定用穴１０を穿設する（表示部Ｌの組合せ）。または、境界点９を切欠部３１５に合わせ、貫通穴４２６及び４３３の位置に固定用穴１０を穿設する（表示部Ｍの組合せ）。
【００３９】
境界用標示板２０６を設置する場合には、境界点９を切欠部３０１に合わせ、貫通穴４０４及び４０９の位置に固定用穴１０を穿設する（表示部Ａの組合せ）。または、境界点９を切欠部３０３に合わせ、貫通穴４０７及び４１２の位置に固定用穴１０を穿設する（表示部Ｂの組合せ）。または、境界点９を切欠部３０４に合わせ、貫通穴４１４及び４１５の位置に固定用穴１０を穿設する（表示部Ｄの組合せ）。または、境界点９を切欠部３０５に合わせ、貫通穴４１６及び４１７の位置に固定用穴１０を穿設する（表示部Ｃの組合せ）。または、境界点９を切欠部３０８に合わせ、貫通穴４１９及び４２０の位置に固定用穴１０を穿設する。または、境界点９を切欠部３０９に合わせ、貫通穴４２４及び４２９の位置に固定用穴１０を穿設する（表示部Ｈの組合せ）。または、境界点９を切欠部３１１に合わせ、貫通穴４２７及び４３２の位置に固定用穴１０を穿設する（表示部Ｉの組合せ）。または、境界点９を切欠部３１２に合わせ、貫通穴４３４及び４３５の位置に固定用穴１０を穿設する（表示部Ｋの組合せ）。または、境界点９を切欠部３１３に合わせ、貫通穴４３６及び４３７の位置に固定用穴１０を穿設する（表示部Ｊの組合せ）。
【００４０】
以下、位置測定部１９を使用して境界用標示板２０１〜２０６を設置する場合について説明する。まず、境界点９に合わせる石突挿通穴５０１〜５１５に、図５に示す境界点観測用の測量プリズム２１を装着したポール２２の下端に設けられた石突２３を挿通する。そして、特定器具１と測量プリズム２１、ポール２２、及び石突２３とを一体として移動させながら、公知の測量方法により境界点９の位置を測定する。これにより、石突２３を挿通した石突挿通穴５０１〜５１５の位置が境界点９となる。その後、特定器具１を足で踏んで加圧固定し、測量プリズム２１、ポール２２、及び石突２３を取り外す。その後、設置する境界用標示板２０１〜２０６に対応する貫通穴４３８〜４７４の位置に固定用穴１０を穿設する。なお、貫通穴４３８，４５８を石突挿通穴５として使用する場合には、貫通穴４３８，４５８に石突２３を挿通して境界点９の位置を測定する。石突２３は、ポール２２に対して着脱自在であり、図６に示す他の形状のものを使用することが可能であり、貫通穴４や石突挿通穴５の直径により適宜選択すればよい。なお、石突２３の形状はこれら４種類に限られない。
【００４１】
上述のとおり、位置合わせ部１８と位置測定部１９は特定器具１上において中心点２４を基準として点対称の関係にあり、境界用標示板２０１〜２０６を設置する場合における、石突挿通穴５０１〜５１５と貫通穴４３８〜４７４との関係は、切欠部３０１〜３１５と貫通穴４０１〜４３７との関係と同様であるため、個々の位置関係についての詳細な説明は省略する。表示部Ｎ〜Ｚは、それぞれ表示部Ａ〜Ｍと同様の組合せを示す。
【００４２】
ここで、特定器具１の使用した境界用標示板２の設置方法を説明する。既に境界点９が測定済みの場合には、その境界点９に切欠部３を合わせ、特定器具１を加圧固定した後、対応する貫通穴４の位置に固定用穴１０を穿設する。その後、特定器具１を取り除き、境界用標示板２の境界点９を示す部分を境界点９に合わせると共に、境界用標示板２に形成されたアンカー用穴１２を穿設した固定用穴１０に合わせ、アンカー用穴１２及び固定用穴１０にアンカーネイル１１を挿入して境界用標示板２を固定する。境界点９が測定されていない場合には、上述のとおり、石突挿通穴５を使用して境界点９を測定した後、同様に境界用標示板２を設置する。後述する実施例２，３についても同様である。
【００４３】
以上のように、本実施例の特定器具１は、板状の本体部７と、境界点９の位置に合わせる切欠部３と、境界点９を測定する器具を設置する石突挿通穴５と、境界用標示板２０１〜２０６を固定するアンカーネイル１１を挿入する固定用穴１０に対応した貫通穴４と、が形成されていることにより、境界用標示板２０１〜２０６を設置する際のアンカーネイル１１を挿入する固定用穴１０の位置を容易に特定することができる。また、１つの特定器具１で複数種類の境界用標示板２の設置を可能とすることができる。また、境界点９の測定と、その境界点９に対する境界用標示板２の固定用穴１０の位置の特定を同時に行うことができる。
【００４４】
また、長手方向一側に前記切欠部３が形成された位置合わせ部１８が配置され、長手方向他側に前記石突挿通穴５が形成された位置測定部１９が配置され、全体が略長方形状に形成されたことにより、境界点９が特定されている場合と、境界点９が特定されていない場合のいずれにも使用することができる。また、第１の配列部３１等の特定器具１の端部を使用する際は、中央部と他端部の２箇所を作業者の両足で加圧固定し、第３の配列部３３等の特定器具１の中央部を使用する際は、両端部の２箇所を作業者の両足で加圧固定することにより、使用者が特定器具１を両足で２箇所踏んで加圧固定し、特定器具１を安定して固定することができるため、固定用穴１０を正確な位置に穿設することができる。
【００４５】
また、前記切欠部３とそれに対応する前記貫通穴４、前記石突挿通穴５とそれに対応する前記貫通穴４、にそれぞれ表示部を設けたことにより、境界点９とその境界点９に対する境界用標示板２０１〜２０６の固定用穴１０の位置を容易に判断することができる。したがって、境界用標示板２０１〜２０６の設置作業の効率を高めることができる。
【００４６】
また、前記切欠部３と、前記石突挿通穴５と、前記貫通穴４と、前記表示部とが、前記本体部７の両面に形成されたことにより、特定器具１の使用する向きを使用者が自由に選択することができる。
【実施例２】
【００４７】
図７〜図１３は、本発明の第２実施例を示し、上記実施例１と同一部分に同一符号を付し、その詳細な説明を省略して詳述する。本実施例の特定器具１には、境界点９の位置に合わせる境界点位置対応部としての切欠部３（３１８〜３４５）と、境界用標示板２（２０７〜２０９）の設置面に形成されるアンカーネイル１１を挿入する穴に対応した穴対応部としての貫通穴４（４７５〜４８２）と、境界点９を測定する測量機器（一部図示せず）を設置する器具設置部としての石突挿通穴５（５１６〜５４１）が形成されており、裏面中心部に固定部材としてのボルト６１を着脱自在に設けた境界用標示板２（２０７〜２０９）を設置する際に使用する。なお、ボルト６１は、図８に示すように様々な形状のものが使用可能であり、境界用標示板２０７〜２０９の裏面に一体に設けられていてもよい。
【００４８】
境界用標示板２０７〜２０９は、図７の６２〜６４の位置にそれぞれ境界点９を合わせ、ボルト６１を固定用穴１０に挿通することにより設置面に固定される。なお、境界用標示板２０７〜２０９を設置面に固定する際には接着剤を使用する。
【００４９】
本実施例の特定器具１は、左側から、第１の配列部４１、第２の配列部４２、第３の配列部４３、第４の配列部４４、第５の配列部４５、第６の配列部４６の６つの配列部から構成されている。各配列部４１〜４６の左右方向の幅は、境界用標示板２０７〜２０９の外周辺の一辺と同一の長さとなっている。なお、第２の配列部４２及び第５の配列部４５の左右方向の幅の長さは適宜変更可能である。また、各配列部４１〜４６は、本体部７の反対側の面にも形成されているが、並びは右側から、第１の配列部４１、第２の配列部４２、第３の配列部４３、第４の配列部４４、第５の配列部４５、第６の配列部４６となっている。また、第３の配列部４３と第４の配列部４４とは所定の幅を有する接続部６６により接続されている。
【００５０】
第１の配列部４１には、左上角部、上辺の中点、右上角部、左辺の中点、右辺の中点、左下角部、左上部、右上部、左下部、右下部に境界点位置対応部としての切欠部３１８〜３２７が形成されている。切欠部３１８，３２３は三角形状に切り欠いて形成され、切欠部３１９〜３２１は矩形状に切り欠いて形成され、切欠部３２２，３２４〜３２７は円形状に切り欠いて形成されている。また、下辺の中点と右下角部には、石突挿通穴５１６，５１７が形成されている。また、中心部には貫通穴４７５が形成されている。貫通穴４７５の直径はボルト６１と対応した長さに形成されており、貫通穴４７５の位置にハンマードリル等で固定用穴１０を穿設する。
【００５１】
第２の配列部４２の上辺には、左右方向の幅の右側から略１／４の位置に矩形状に切り欠いた切欠部３２８が形成され、中心部からやや左側には円形状に切り欠いた切欠部３２９が形成されている。また、第２の配列部４２の下辺には、左右方向の幅の右側から略１／４の位置に石突挿通穴５１８が形成されている。また、第２の配列部４２の右上下部には貫通穴４７６，４７７が形成されている。
【００５２】
第３の配列部４３には、左上角部、上辺の中点、右上角部、左辺の中点、右辺の中点、左上部、右上部、左下部、右下部に切欠部３３０〜３３８が形成されている。切欠部３３０〜３３２は矩形状に切り欠いて形成され、切欠部３３３〜３３８は円形状に切り欠いて形成されている。また、第３の配列部４３の左下角部、下辺の中点、右下角部には石突挿通穴５１９〜５２１が形成されている。また、第３の配列部４３の中心部には貫通穴４７８が形成されている。
【００５３】
特定器具１は、中心線６７を基準として線対称の関係にあり、各配列部４４〜４６に形成された切欠部３、貫通孔４、石突挿通穴５は各配列部４１〜４３に形成された切欠部３１８〜３３８、貫通孔４７５〜４７８、石突挿通穴５１６〜５２１との関係と同様であるため、個々の位置関係についての詳細な説明は省略する。表示部Ｅ〜Ｈは、それぞれ表示部Ａ〜Ｄと同様の組合せを示す。石突挿通穴５１６〜５４１は、特定器具１を貫通する円形状の穴である。
【００５４】
石突挿通穴５１６〜５２１，５２４〜５２６，５３１，５３４〜５３７の周囲には、外側に突出した突出部６８が形成されている。この突出部６８は、特定器具１と同一の板厚を有する。
【００５５】
以下、境界用標示板２０７〜２０９を設置する場合の固定用穴１０の穿設位置について、切欠部３１８〜３４５と貫通穴４７５〜４８２との関係、石突挿通穴５１６〜５４１との関係と共に説明する。特定器具１には、切欠部３と貫通穴４との組み合わせ、及び石突挿通穴５と貫通穴４との組み合わせを容易に認識することができるようにするため、それぞれの組合せに対応した表示部Ａ〜Ｈが形成されている。この表示Ａ〜Ｈは、特定器具１の両面に溝状に形成されている。
【００５６】
既に特定された境界点９に境界用標示板２０７を設置する場合には、貫通穴４７５，４７８，４７９，４８２のいずれかに境界点９を合わせ、合わせた貫通穴４７５，４７８，４７９，４８２の位置にハンマードリル等で固定用穴１０を穿設する。
【００５７】
ここで、貫通穴４７５，４７８，４７９，４８２の直径は、境界点９と比較して一定程度大きいため、境界点９をその中心に目視で合わせることが困難である場合もある。そのような場合には、貫通穴４７５，４７８，４７９，４８２に着脱自在な目視用補助器具６９を用いる。図１２及び図１３に示すとおり、合成樹脂製の目視用補助器具６９は、円筒形状の器具本体部７０と、器具本体部７０の上部に設けられ器具本体部７０よりも拡径した頭部７１とを有して構成されている。器具本体部７０の外径は、目視用補助器具６９を貫通穴４７５，４７８，４７９，４８２に挿入した際に器具本体部７０の外面が貫通穴４７５，４７８，４７９，４８２の内面に当接するように形成されており、頭部７１の外径は、貫通穴４７５，４７８，４７９，４８２の直径よりも大きく形成されている。目視用補助器具６９は上下が開口しており、目視用補助器具６９の内部に形成された上下方向の内部穴７２は下方中心に向かって縮径している。また、目視用補助器具６９の内面には十字状に目視線７３が設けてある。目視用補助器具６９を貫通穴４７５，４７８，４７９，４８２の上方から挿入することにより、内部穴７２の中心が貫通穴４７５，４７８，４７９，４８２の中心となるため、境界点９を貫通穴４７５，４７８，４７９，４８２の中心に容易に合わせることができる。目視用補助器具６９は、大きさを調整して、前述の実施例１の特定器具１や後述の実施例３の特定器具１に用いてもよい。
【００５８】
本実施例の特定器具１のように、貫通穴４の径が大きい場合には、図６（ｃ）に示すような径の大きい石突２３を使用する等、石突２３を任意に選択し境界点９の測定を行うことが有効である。
【００５９】
境界点９を特定して境界用標示板２０７を設置する場合には、貫通穴４７５，４７８，４７９，４８２のいずれかに石突２３を挿通する。そして、特定器具１と測量プリズム２１、ポール２２、及び石突２３とを一体として移動させながら、公知の測量方法により境界点９を測定する。その後、特定器具１を足で加圧固定し、測量プリズム２１、ポール２２、石突２３、及び目視用補助器具６９を取り外す。その後、貫通穴４７５，４７８，４７９，４８２の位置に固定用穴１０を穿設する。
【００６０】
既に特定された境界点９に境界用標示板２０８を設置する場合には、第１の配列部４１の切欠部３１９，３２１，３２２，３２４〜３２７のいずれかに境界点９を合わせ、貫通穴４７５の位置に固定用穴１０を穿設する。または、第３の配列部４３の切欠部３３１，３３３〜３３８のいずれかに境界点９を合わせ、貫通穴４７８の位置に固定用穴１０を穿設する。
【００６１】
境界点９を特定して境界用標示板２０８を設置する場合には、第１の配列部４１の石突挿通穴５１６を使用して境界点９を測定し、貫通穴４７５の位置に固定用穴１０を穿設する。または、第３の配列部４３の石突挿通穴５２０を使用して境界点９を測定し、貫通穴４７８の位置に固定用穴１０を穿設する。
【００６２】
既に特定された境界点９に境界用標示板２０９を設置する場合には、第１の配列部４１の切欠部３１８，３２０，３２３のいずれかに境界点９を合わせ、貫通穴４７５の位置に固定用穴１０を穿設する。または、第２の配列部４２の切欠部３２８に境界点９を合わせ、貫通穴４７７の位置に固定用穴１０を穿設する（表示部Ａの組合せ）か、切欠部３２９に境界点９を合わせ、第１の配列部４１の貫通穴４７５の位置に固定用穴１０を穿設する（表示部Ｃの組合せ）。または、第３の配列部４３の切欠部３３０，３３２のいずれかに境界点９を合わせ、貫通穴４７８の位置に固定用穴１０を穿設するか、切欠部３３４に境界点９を合わせ、第４の配列部４４の貫通穴４７９の位置に固定用穴１０を穿設する（表示部Ｄの組合せ）。
【００６３】
境界点９を特定して境界用標示板２０９を設置する場合には、第１の配列部４１の石突挿通穴５１７を使用して境界点９を測定し、貫通穴４７５の位置に固定用穴１０を穿設する。または、第２の配列部４２の石突挿通穴５１８を使用して境界点９を測定し、貫通穴４７６の位置に固定用穴１０を穿設する（表示部Ｂの組合せ）。または、第３の配列部４３の石突挿通穴５１９，５２１のいずれかを使用して境界点９を測定し、貫通穴４７８の位置に固定用穴１０を穿設する。
【００６４】
なお、石突挿通穴５１６〜５４１は、特定器具１を貫通した穴であるため、既に測定されている境界点９を石突挿通穴５１６〜５４１の中心に合わせることにより、切欠部３として使用することも可能である。
【００６５】
以上のように、本実施例の特定器具１は、前記貫通穴４に着脱自在な目視用補助器具６９を備えることにより、貫通穴４の径が大きい場合であっても、境界点９を貫通穴４の中心に容易に合わせることができる。
【実施例３】
【００６６】
図１６〜図２０は、本発明の第３実施例を示し、上記実施例１，２と同一部分に同一符号を付し、その詳細な説明を省略して詳述する。本実施例の特定器具１には、境界点９の位置に合わせる境界点位置対応部としての切欠部３（３４６〜３６５）と、境界用標示板２（２１０〜２１２）の設置面に形成される穴対応部としての貫通穴４（４８３〜４９４）と、境界点９を測定する測量機器（一部図示せず）を設置する器具設置部としての石突挿通穴５（５４２〜５６１）が形成されており、固定部材としての金属鋲８１を使用して設置面に固定する境界用標示板２１０〜２１２を設置する際に使用する。
【００６７】
境界用標示板２１０〜２１２は、図１４の８２〜８４の位置にそれぞれ境界点９を合わせる。これら境界用標示板２１０〜２１２は、その中心部に鋲用穴８６が１箇所設けられた１穴タイプである。
【００６８】
境界用標示板２１０〜２１２は、鋲用穴８６と固定用穴１０に金属鋲８１を挿通することにより設置面に固定される。なお、境界用標示板２１０〜２１２を設置面に固定する際に接着剤を併用してもよい。
【００６９】
次に、図１６を参照して本実施例の特定器具１について説明する。特定器具１の長手方向一側には、位置合わせ部８７が形成され、長手方向他側には位置測定部８８が形成されている。位置合わせ部８７と位置測定部８８とは、所定の幅を有する接続部８９により接続されている。
【００７０】
位置合わせ部８７は、既に境界点９が特定されている場合に使用するものであり、左側から、第１の配列部５１、第２の配列部５２、第３の配列部５３の３つの配列部から構成されている。また、位置測定部８８は左側から、第４の配列部５４、第５の配列部５５、第６の配列部５６の３つの配列部から構成されている。各配列部５１〜５６の左右方向の幅は、境界用標示板２１０〜２１２の外周辺の一辺と同一の長さとなっている。なお、第２の配列部５２と第５の配列部５５の左右方向の幅の長さは適宜変更可能である。また、各配列部５１〜５６は、本体部７の反対側の面にも形成されているが、並びは右側から、第１の配列部５１、第２の配列部５２、第３の配列部５３、第４の配列部５４、第５の配列部５５、第６の配列部５６となっている。
【００７１】
第１の配列部５１には、左上角部、上辺の左右方向の幅の左側から略１／３の位置、上辺の中点、右上角部、左辺の中点のやや下方部、左辺の上下方向の幅の下側から略１／５の位置、右辺の中点ややの下方部、左上部、右上部に切欠部３４６〜３５４が形成されている。切欠部３４６は三角形状に切り欠いて形成され、切欠部３４７〜３５０，３５２は矩形状に切り欠いて形成され、切欠部３５１，３５３，３５４は円形状に切り欠いて形成されている。また、中心部やや下方部には貫通穴４８３が形成されており、この貫通穴４８３の左右下方部には、貫通穴４８４，４８５が形成されている。
【００７２】
第２の配列部５２の中心よりやや下方であって左右方向の幅の外側から左右略１／４の位置には円形状に切り欠いた切欠部３５５，３５６が形成されている。
【００７３】
第３の配列部５３には、左上角部、上辺の中点、上辺の左右方向の幅の右側から略１／３の位置、右上角部、左辺の中点のやや下方部、右辺の中点のやや下方部、右辺の上下方向の幅の下側から略１／５の位置、左上部、右上部に切欠部３５７〜３６５が形成されている。切欠部３５７〜３６０は矩形状に切り欠いて形成され、切欠部３６１〜３６５は円形状に切り欠いて形成されている。また、中心部やや下方部には貫通穴４８６が形成されており、この貫通穴４８６の左右下方部には、貫通穴４８７，４８８が形成されている。
【００７４】
位置合わせ部８７と位置測定部８８は特定器具１上において中心点９０を基準として点対称の関係にあり、石突挿通穴５４２〜５６１と貫通穴４８９〜４９４との関係は、切欠部３４６〜３６５と貫通穴４８３〜４８８との関係と同様であるため、個々の位置関係についての詳細な説明は省略する。
【００７５】
貫通穴４８３〜４９４の直径は金属鋲８１と対応した長さに形成されている。また、石突挿通穴５４２〜５６１は、特定器具１を貫通する円形状の穴である。
【００７６】
石突挿通穴５４５〜５４８，５５３，５５５〜５５９の周囲には、外側に突出した突出部９１が形成されている。この突出部９１は、特定器具１と同一の板厚を有する。
【００７７】
以下、境界用標示板２１０〜２１２を設置する場合の固定用穴１０の穿設位置について、切欠部３４６〜３６５と貫通穴４８３〜４８８との関係、石突挿通穴５４２〜５６１と貫通穴４８９〜４９４の関係と共に説明する。特定器具１には、切欠部３と貫通穴４との組み合わせ、及び石突挿通穴５と貫通穴４との組み合わせを容易に認識することができるようにするため、それぞれの組合せに対応した表示部Ａ〜Ｔが形成されている。この表示Ａ〜Ｔは、特定器具１に溝状に形成されている。
【００７８】
既に特定された境界点９に境界用標示板２１０を設置する場合には、貫通穴４８３，４８６のいずれかに境界点９を合わせ、合わせた貫通穴４８３，４８６の位置にハンマードリル等で固定用穴１０を穿設する。
【００７９】
既に特定された境界点９に境界用標示板２１１を設置する場合には、第１の配列部５１の切欠部３４８，３５０，３５１，３５３，３５４のいずれかに境界点９を合わせ、貫通穴４８３の位置に固定用穴１０を穿設する。または、第３の配列部５３の切欠部３５８，３６１，３６２，３６４，３６５のいずれかに境界点９を合わせ、貫通穴４８６の位置に固定用穴１０を穿設する。なお、切欠部３５３と貫通穴４８３の組合せは表示部Ｄの組合せであり、切欠部３５４と貫通穴４８３の組合せは表示部Ｅの組合せであり、切欠部３６４と貫通穴４８６の組合せは表示部Ｊの組合せであり、切欠部３６５と貫通穴４８６の組合せは表示部Ｉの組合せである。
【００８０】
既に特定された境界点９に境界用標示板２１２を設置する場合には、第１の配列部５１の切欠部３４６，３４９のいずれかに境界点９を合わせ、貫通穴４８３の位置に固定用穴１０を穿設するか、切欠部３４７に境界点９を合わせ、貫通穴４８４の位置に固定用穴１０を穿設する（表示部Ａの組合せ）か、切欠部３５２に境界点９を合わせ、貫通穴４８５の位置に固定用穴１０を穿設する（表示部Ｃの組合せ）。または、第２の配列部５２の切欠部３５５に境界点９を合わせ、第１の配列部５１の貫通穴４８３の位置に固定用穴１０を穿設する（表示部Ｂの組合せ）か、切欠部３５６に境界点９を合わせ、第３の配列部５３の貫通穴４８６の位置に固定用穴１０を穿設する（表示部Ｇの組合せ）。または、第３の配列部５３の切欠部３５７，３６０のいずれかに境界点９を合わせ、貫通穴４８６の位置に固定用穴１０を穿設するか、切欠部３５９に境界点９を合わせ、貫通穴４８８の位置に固定用穴１０を穿設する（表示部Ｆの組合せ）か、切欠部３６３に境界点９を合わせ、貫通穴４８７の位置に固定用穴１０を穿設する（表示部Ｈの組合せ）。
【００８１】
境界点９を特定して境界用標示板２１０〜２１２を設置する場合には、実施例１において説明したとおり石突挿通穴５を使用して境界点９を測定する。その後、位置合わせ部８７を使用する場合と同様に貫通穴４を穿設する。表示部Ｋ〜Ｔは、それぞれ表示部Ａ〜Ｊと同様の組合せを示す。
【００８２】
なお、石突挿通穴５４２〜５６１は、特定器具１を貫通した穴であるため、既に特定されている境界点９を石突挿通穴５４２〜５６１の中心に合わせることにより、切欠部３として使用することも可能である。
【００８３】
本発明は、上記実施例に限定されるものではなく、本発明の要旨の範囲内で種々の変形実施が可能である。例えば、上記実施例では、特定器具を一辺が５０ｍｍの境界用標示板に対応したものとしたが、一辺が３０ｍｍ、３５ｍｍ、４０ｍｍ、４５ｍｍ等、他の大きさの境界用標示板に対応したものとすることができる。また、切欠部、貫通孔、石突挿通部の配置を調整することにより様々な境界用標示板の設置に使用することができる。
【符号の説明】
【００８４】
１  境界用標示板の設置穴位置特定器具
２  ２０１〜２１２  境界用標示板
３  ３０１〜３６５  切欠部（境界点位置対応部）
４  ４０１〜４９４  貫通孔（穴対応部）
５  ５０１〜５６１  石突挿通部（器具設置部）
７  本体部
１１  アンカーネイル（固定部材）
１８  位置合わせ部
１９  位置測定部
６１  ボルト（固定部材）
６９  目視用補助器具
８１  金属鋲（固定部材）
８７  位置合わせ部
８８  位置測定部
Ａ〜Ｚ  表示部
【図１】
2016042091.tif 000003
【図２】
2016042091.tif 000004
【図３】
2016042091.tif 000005
【図４】
2016042091.tif 000006
【図５】
2016042091.tif 000007
【図６】
2016042091.tif 000008
【図７】
2016042091.tif 000009
【図８】
2016042091.tif 000010
【図９】
2016042091.tif 000011
【図１０】
2016042091.tif 000012
【図１１】
2016042091.tif 000013
【図１２】
2016042091.tif 000014
【図１３】
2016042091.tif 000015
【図１４】
2016042091.tif 000016
【図１５】
2016042091.tif 000017
【図１６】
2016042091.tif 000018
【図１７】
2016042091.tif 000019